(57)【特許請求の範囲】
【請求項１】
前方側が左ボタンと右ボタンとによって構成され、後方側がケースによって構成されたマウス本体上面に、その上面を前後左右に４分割して４つのウイングが取り付けられ、
それらウイングはそれぞれ上記分割された上面上に位置する上面部と、その分割された上面に隣接する上記マウス本体の左右方向側面に被さる側面部とを具備するものとされて、その上面部の内面に回動軸と凸部とが突設されており、
前方側に位置する２つの上記ウイングはその回動軸がそれぞれ上記左ボタン及び右ボタンに軸支されて、前方側が互いに左右に扇状に開く構造とされ、
後方側に位置する２つの上記ウイングはその回動軸がそれぞれ上記ケースに軸支されて、後方側が互いに左右に扇状に開く構造とされ、
上記左ボタン、右ボタン及びケース左右の、上記ウイングの回動により上記凸部が動く円周上にそれぞれ複数の凹部が配列形成され、
上記凹部に上記凸部が係合することにより、その係合位置で上記各ウイングの回動角度が保持される構造とされていることを特徴とするマウス。
【発明の詳細な説明】
【０００１】
【発明の属する技術分野】
この発明はコードを介してコンピュータに接続されて、ディスプレイ画面上のカーソルの移動操作に使用されるマウスに関する。
【０００２】
【従来の技術】
携帯可能なノート型パーソナルコンピュータの普及により、コンピュータを持ち運ぶといったことが日常的に行われており、この際、操作性に優れたポインティングデバイスとして、マウスもコンピュータと共に持ち運ばれることが多くなっている。
このような状況から、可搬性の向上を目的としてマウスの小型化が進められており、例えば図６に示したような形状の小型マウスが用いられるに至っている。この図６に示したマウスは特に幅が狭くつくられたもので、図中、１１は左ボタン、１２は右ボタン、１３はホイールボタンを示し、１４及び１５はそれぞれ上ケースと下ケースを示す。また、１６は接続用のコードを示す。
【０００３】
【発明が解決しようとする課題】
マウスの小型化を図ることにより、可搬性は向上するものの、小型化を進めると手の大きな人にとっては使用時に持ちにくいものとなり、つまり手の大きさに合わなくなって使いにくいという問題が発生する。
この発明の目的はこの問題に鑑み、大きさを可変とし、使用時には手の大きさに合わせることができ、持ち運ぶ際には小さくすることができるようにして、操作性に優れ、かつ可搬性も良好なマウスを提供することにある。
【０００４】
【課題を解決するための手段】
この発明によれば、前方側が左ボタンと右ボタンとによって構成され、後方側がケースによって構成されたマウス本体上面に、その上面を前後左右に４分割して４つのウイングが取り付けられる。
それらウイングはそれぞれ分割された上面上に位置する上面部と、その分割された上面に隣接するマウス本体の左右方向側面に被さる側面部とを具備するものとされて、その上面部の内面に回動軸と凸部とが突設されており、前方側に位置する２つのウイングはその回動軸がそれぞれ左ボタン及び右ボタンに軸支されて、前方側が互いに左右に扇状に開く構造とされ、後方側に位置する２つのウイングはその回動軸がそれぞれケースに軸支されて、後方側が互いに左右に扇状に開く構造とされる。
【０００５】
そして、左ボタン、右ボタン及びケース左右の、ウイングの回動により上記凸部が動く円周上にそれぞれ複数の凹部が配列形成され、上記凹部に上記凸部が係合することにより、その係合位置で各ウイングの回動角度が保持されるものとされる。
【０００６】
【発明の実施の形態】
この発明の実施の形態を図面を参照して実施例により説明する。
図１はこの発明によるマウスの一実施例を示したものであり、この例ではマウス本体２１に昆虫の羽根のような形状をなす４つのウイング２２〜２５が付加された構造とされる。これらウイング２２〜２５はマウス本体２１の上面に、その上面を前後左右に４分割して取り付けられている。なお、マウス本体２１はこの例では図６に示したマウスと同様の外形形状・大きさを有するものとされる。
【０００７】
図２Ａはウイング２２〜２５が取り付けられるマウス本体２１の構造を示したものであり、図６と対応する部分には同一符号を付してある。
マウス本体２１の上面は前方側（コード１６の導出側）が左ボタン１１と右ボタン１２とによって構成され、後方側は上ケース１４によって構成されている。なお、左ボタン１１と右ボタン１２との間にはホイールボタン１３が突出されている。
左ボタン１１の上ケース１４寄りの左隅部及び右ボタン１２の上ケース１４寄りの右隅部にはそれぞれ軸孔２６が形成され、さらに左ボタン１１及び右ボタン１２には軸孔２６を中心とする円周上に複数の凹部２７が図に示したように形成される。凹部２７はこの例では各３個ずつ形成されており、等角間隔で配列されている。
【０００８】
一方、上ケース１４の前方寄りの左右隅部にも軸孔２６が同様に形成され、さらに複数の凹部２７が軸孔２６を中心とする円周上にそれぞれ配列形成される。凹部２７は左ボタン１１，右ボタン１２と同様に各３個ずつ形成されている。
なお、図２Ｂは一例として上ケース１４の左半部に配列形成されている凹部２７の形状をその配列（円周）に沿って断面とし、展開して示したものである。凹部２７は球面状にへこんだ形状とされる。
各ウイング２２〜２５は図１に示したように、マウス本体２１の分割された上面上に位置する上面部と、その分割された上面に隣接するマウス本体２１の左右方向側面に被さる側面部とを具備し、さらにこの例ではマウス本体２１の前後方向端面に被さる端面部を具備するものとされる。
【０００９】
これらウイング２２〜２５の上面部の内面にはそれぞれ回動軸と凸部とが突設されており、それぞれマウス本体２１に回動可能に取り付けられる。
図３は一例としてウイング２４の形状を示したものであり、図に示したように上面部２４ａの内面側に回動軸２８が一体形成されて突設され、さらに半球面状をなす凸部２９が一体形成されて突設されている。なお、他のウイング２２，２３，２５もこのウイング２４と同様の回動軸２８及び凸部２９を具備するものとされる。
【００１０】
各ウイング２２〜２５のマウス本体２１への取り付けは、回動軸２８を軸孔２６に挿通し、その先端を例えば図４に示したようにビス止めすることによって行われ、これにより回動軸２８は抜け止めされ、かつ回動可能とされる。図４中、３１はビスを示し、３２はワッシャを示す。
上記のように取り付けられることにより、前方側に位置する２つのウイング２２，２３はそれぞれ左ボタン１１及び右ボタン１２に回動軸２８が軸支されるものとなり、前方側が図１Ｂに示したように互いに左右に扇状に開く構造となる。
【００１１】
一方、後方側に位置する２つのウイング２４，２５はそれぞれ上ケース１４に回動軸２８が軸支されるものとなり、後方側が図１Ｂに示したように互いに左右に扇状に開く構造となる。
マウス本体２１側に、つまり左ボタン１１，右ボタン１２及び上ケース１４の左右に配列形成されている凹部２７は、各ウイング２２〜２５の回動により凸部２９が動く円周上に位置しており、凹部２７に凸部２９が入りこんでそれらが係合することにより、その係合位置で各ウイング２２〜２５の回動角度（開き具合）が保持されるものとなる。
【００１２】
上記のような構造とされたマウスによれば、ウイング２２〜２５を図１Ｂに示したように開くことによって幅方向の大きさを可変できる。従って、使用する際には手の大きさに合った幅にすることができる。一方、持ち運ぶ際には図１Ａに示したように各ウイング２２〜２５を閉じることによって大きさを小さくすることができる。
ウイング２２及び２３は左右のボタン１１，１２の操作部をなすものであって、これらウイング２２，２３を押すことにより、左右のボタン１１，１２が連動して押されるものとなっている。
【００１３】
なお、各ウイング２２〜２５は互いに独立して動くものとなっているため、各人の手の形に合った形状とすることができ、つまり右利き、左利きといった利き腕による左右の手の差や指の位置にも対応しうるものとなっている。
図５Ａ，Ｂは回動軸２８の軸孔２６への取り付け方法の他の例を示したものであり、図５ＡはＥリング３３を使用して回動軸２８を抜け止めした例を示し、図５Ｂは回動軸を先端にフック形状を有する一対の係止片３４で構成した例を示す。この図５Ｂの場合、回動軸をなす一対の係止片３４は軸孔２６に圧入されて取り付けられる。
【００１４】
なお、各ウイング２２〜２５の回動角度位置を保持するための凹部２７は、上述した例では各３個ずつ設けられているが、凹部２７の数（配列数）はこれに限らず、適宜選定され、さらに多くしても良い。
【００１５】
【発明の効果】
以上説明したように、この発明によれば大きさを可変でき、よって持ち運ぶ際には小さくし、使用する際には手の大きさに合った使いやすい大きさとすることができるため、可搬性に優れ、かつ操作性にも優れたマウスを得ることができる。
なお、マウス本体を前後左右に４分割して取り付けられたウイングはそれぞれ独立して扇状に開く構造のため、各人の手の形に合った形状とすることができる。
【図面の簡単な説明】
【図１】この発明の一実施例を示す斜視図、Ａはウイングを閉じた状態、Ｂはウイングを開いた状態を示す。
【図２】Ａは図１におけるマウス本体の斜視図、Ｂはマウス本体に形成されている凹部の形状を説明するための図。
【図３】図１におけるウイング２４の形状を示す図、Ａは平面図、Ｂは側面図、Ｃは背面図。
【図４】ウイングの回動軸の、軸孔への取り付け方法を説明するための図。
【図５】ウイングの回動軸の、軸孔への他の取り付け方法を説明するための図。
【図６】小型マウスの従来構成を示す斜視図。
【図１】
0003753311.tif 000002
【図２】
0003753311.tif 000003
【図３】
0003753311.tif 000004
【図４】
0003753311.tif 000005
【図５】
0003753311.tif 000006
【図６】
0003753311.tif 000007